(57)【特許請求の範囲】
【請求項１】
組付体と被組付体のうちの一方に取り付けた一方のハウジングと他方に取り付けた他方のハウジングとを備え、前記組付体と被組付体を組み付ける過程において、前記一方のハウジングと他方のハウジングを位置誤差を吸収しながら結合するガイド付コネクタであって、前記一方のハウジングに当接した際の反作用力により前記他方のハウジングの先端を結合方向に直角な方向へ回動させる回動機構と、前記一方のハウジングに結合した際の反作用力により前記他方のハウジングの後端を結合方向に直角な方向へ移動させる移動機構とを介して前記他方のハウジングを取り付け、前記他方のハウジングを初期位置に付勢する付勢手段を設け、該付勢手段は前記他方のハウジングに収容したフレキシブルフラットケーブルの弾性力を用いたことを特徴とするガイド付コネクタ。
【請求項２】
前記他方のハウジングの後方への移動を規制する規制手段を設けた請求項１に記載のガイド付コネクタ。
【発明の詳細な説明】
【０００１】
【産業上の利用分野】
本発明は、組付体か被組付体のうちの一方に取り付けた一方のハウジングと、他方に取り付けた他方のハウジングとを備え、組付体と被組付体を組み付ける際に一方のハウジングと他方のハウジングを位置誤差を吸収しながら結合するガイド付コネクタに関するものである。
【０００２】
【従来の技術】
従来、例えば自動車の生産においてインストルメントパネル等の組付体をダッシュボード等の被組付体に組み付ける際には、組付体に取り付けた一方のハウジングと被組付体に取り付けた他方のハウジングとを結合する必要がある。
【０００３】
【発明が解決しようとする課題】
しかしながら、組付体に取り付けた一方のハウジングや被組付体に取り付けた他方のハウジングはそれぞれ位置誤差を有するため、組付体を被組付体に組み付ける際に一方のハウジングと他方のハウジングに位置ずれが生じ、それらの結合が困難になるという問題がある。
【０００４】
本発明の目的は、上述した問題点を解消し、一対のハウジングの位置誤差を容易に吸収して、これらを確実に結合し得るガイド付コネクタを提供することにある。
【０００５】
【課題を解決するための手段】
上記目的を達成するための本発明に係るガイド付コネクタは、組付体と被組付体のうちの一方に取り付けた一方のハウジングと他方に取り付けた他方のハウジングとを備え、前記組付体と被組付体を組み付ける過程において、前記一方のハウジングと他方のハウジングを位置誤差を吸収しながら結合するガイド付コネクタであって、前記一方のハウジングに当接した際の反作用力により前記他方のハウジングの先端を結合方向に直角な方向へ回動させる回動機構と、前記一方のハウジングに結合した際の反作用力により前記他方のハウジングの後端を結合方向に直角な方向へ移動させる移動機構とを介して前記他方のハウジングを取り付け、前記他方のハウジングを初期位置に付勢する付勢手段を設け、該付勢手段は前記他方のハウジングに収容したフレキシブルフラットケーブルの弾性力を用いたことを特徴とする。
【０００６】
【作用】
上述の構成を有するガイド付コネクタでは、一方のハウジングに他方のハウジングが位置誤差を有して当接すると、他方のハウジングの先端が一方のハウジングから反作用を受け、他方のハウジングは回動機構により結合方向に直角な方向へ回動して、一方のハウジングに結合し易い姿勢になる。この状態で一方のハウジングに他方のハウジングを結合すると、他方のハウジングの後端が一方のハウジングから反作用を受け、他方のハウジングは移動機構により結合方向に直角な方向へ移動し、一方のハウジングに正しい姿勢で結合する。
【０００７】
【実施例】
本発明を図示の実施例に基づいて詳細に説明する。
図１は実施例の断面図であり、一対の第１のハウジング１と第２のハウジング２のうち、挿込端子３を収容した第１のハウジング１を例えば自動車のダッシュパネル等の被組付体４に固定し、フレキシブルフラットケーブル５を収容した第２のハウジング２をインストルメントパネル等の組付体６に固定した状態を示している。
【０００８】
第１のハウジング１は絶縁性の合成樹脂材料により、例えば軸線L1を有して第２のハウジング２との結合側が拡径するラッパ状に形成されている。また、挿込端子３は導電性の金属材料による可撓性を有する棒状とされ、フレキシブルフラットケーブル５に弾性を有して接触し得る長さが与えられている。
【０００９】
一方、第２のハウジング２は絶縁性の合成樹脂材料により、図２に示すように、例えば軸線L2を有して第１のハウジング１に嵌合する形状とされ、その後端部にはフランジ部２ａが設けられている。第２のハウジング２は先端が軸線L2に直角な方向へ回動自在に摺動筒７に保持されている。ここで、第２のハウジングのフランジ部２ａの外周面２ｂは球面の一部とされ、摺動筒７の球面状の内周面７ａに摺動自在に保持されて、第２のハウジング２の先端が軸線L2に直角な方向へ回動できるようになっている。摺動筒７の後端にはフランジ部７ｂが形成され、このフランジ部７ｂは組付体６に固定された取付台８の嵌合溝８ａに、外周方向の隙間D1を設けて嵌合されている。これにより、摺動筒７は取付台８に軸線L2に直角な方向へ移動自在に保持されたことになる。
【００１０】
また、フレキシブルフラットケーブル５の一部は基台９に保持され、基台９は第２のハウジング２の内面に固定されている。基台９は例えば合成樹脂材料により形成され、基台９の後面の軸線L2上には後端に凹部１０ａを有するピン受け１０が突設されている。このピン受け１０の凹部１０ａには、規制板１１のピン１１ａが嵌合され、第２のハウジング２の後方への移動が規制されると共に、第２のハウジング２がピン１１ａを中心に回動できるようになっている。そして、規制板１１には環状溝１１ｂが形成されており、この環状溝１１ｂに組付体６の後方へ膨出する陥凹部６ａが嵌合され、規制板１１は組付体６との間に隙間D2を有して軸線L2に直角な方向へ摺動自在にされている。そして、摺動筒７と規制板１１は、隙間D1、D2をそれぞれ有するようにフレキシブルフラットケーブル５の弾性力によりそれぞれの軸線L2が一致した初期位置に付勢されている。
【００１１】
更に、基台９に保持されたフレキシブルフラットケーブル５は、図３の斜視図及び図４の断面図に示すように、複数本の導体箔２１の両面に絶縁シート２２、２３が接着されて外径抜きされたものであり、このようなフレキシブルフラットケーブル５には導電金属材料から成る受端子２４が固定されている。受端子２４には、第１のハウジング１の挿込端子３の先端部を受け入れる凹部２４ａと、導体箔２１に打ち込まれて導体箔２１に接触するテーパ部２４ｂと、外側の絶縁シート２２に当接するフランジ部２４ｃとが設けられている。
【００１２】
組付体６を被組付体４に組み付ける際に、図５に示すように第１のハウジング１の軸線L1と第２のハウジング２の軸線L2との間に位置ずれｅがある場合には、第２のハウジング２の外周面が第１のハウジング１の内周面に当接し、第２のハウジング２の先端が第１のハウジング１から反作用を受ける。これにより、第２のハウジング２の先端が軸線L2に直角な方向Ｂへ回動し、第２のハウジング２は第１のハウジング１に嵌合し易い姿勢になる。
【００１３】
この状態から組付体６を被組付体４に対して十分に押し込むと、第２のハウジング２の後端が第１のハウジング１の反作用を受け、摺動筒７と規制板１１が軸線L2に直角な方向Ｃと方向Ｄにそれぞれ摺動する。これにより、第２のハウジング２が方向Ｂと逆の方向Ｅに回動し、第２のハウジング２は第１のハウジング１に正しい姿勢で嵌合する。同時に、図６に示すように挿込端子３は、フレキシブルフラットケーブル５の受端子２４の凹部２４ａに嵌合すると共に、受端子２４に押圧されて方向Ｆへ撓み、凹部２４ａに対して良好な接触圧を保持する。
【００１４】
このように実施例では、第２のハウジング２の先端を軸線L2に対して直角な方向へ回動自在にしたので、第１のハウジング１と第２のハウジング２が位置ずれｅを有して結合しても、第１のハウジング１から受けた反作用力により第２のハウジング２の向きを第１のハウジング１に結合し易い方向へ向けることができる。また、摺動筒７と規制板１１を軸線L2に対し直角な方向へ移動自在にしたので、第１のハウジング１から受けた反作用力により第２のハウジング２を軸線L2の方向へ向けることができ、第１のハウジングと第２のハウジング２を正しい姿勢で確実に結合できる。
【００１５】
更に、挿込端子３に可撓性と長さの余裕を与えたため、挿込端子３と受端子２４の接触圧を十分に確保することができる上に、被組付体４と組付体６の間の軸線L2方向の組付誤差を吸収することができる。
【００１６】
なお、上述した実施例で第１のハウジング１をラッパ状としたが、第２のハウジング２をラッパ状とし、第１のハウジング１を第２のハウジング２に嵌合する形状にすることもできる。
【００１７】
【発明の効果】
以上説明したように本発明に係るガイド付コネクタは、他方のハウジングを回動機構と移動機構を介して取り付けたので、回動機構により他方のハウジングの先端を結合方向に直角な方向へ回動させて他方のハウジングを一方のハウジングに容易に結合させることができ、移動機構により他方のハウジングの後端を結合方向に直角な方向へ移動させて、他方のハウジングを一方のハウジングに正しい姿勢で結合することができる。従って、一方のハウジングと他方のハウジングの位置誤差を容易に吸収して、それらを確実に結合できる。
【図面の簡単な説明】
【図１】実施例の断面図である。
【図２】第２のハウジングを組付体に取り付けた一部を切欠した斜視図である。
【図３】フレキシブルフラットケーブルの一部を切欠した拡大斜視図である。
【図４】図３のＡーＡ線に沿って切断した部分拡大断面図である。
【図５】第１のハウジングと第２のハウジングの結合時の作用説明図である。
【図６】挿込端子と受端子の結合時の作用説明図である。
【符号の説明】
１  第１のハウジング
２  第２のハウジング
３  挿込端子
４  被組付体
５  フレキシブルフラットケーブル
６  組付体
７  摺動筒
８  取付台
１１  規制板
２１  導体箔
２４  受端子
【図１】
0003668528.tif 000002
【図２】
0003668528.tif 000003
【図３】
0003668528.tif 000004
【図４】
0003668528.tif 000005
【図５】
0003668528.tif 000006
【図６】
0003668528.tif 000007